(57)【特許請求の範囲】
【請求項１】
作用領域内の内接球の中心領域に位置する磁性材料の加熱のための装置であって、
低磁場強度を持つ第１サブ領域と高磁場強度を持つ第２サブ領域が前記作用領域内に形成されるような、その磁場強度の空間内パターンを持つ選択磁場を発生させるための選択手段と、
前記磁性材料の磁化が局所的に変化するように駆動磁場を用いて前記作用領域内の前記２つのサブ領域の空間位置を変化させるための駆動手段と、
前記内接球の前記中心領域が加熱されるような期間と周波数で、前記内接球の周囲の位置のシーケンスに沿って前記第１サブ領域の前記空間位置を変化させるように前記駆動手段を制御するための制御手段とを有する、装置。
【請求項２】
前記制御手段が、前記内接球の周囲の位置の２次元シーケンスに沿って、前記第１サブ領域の前記空間位置を変化させるように前記駆動手段を制御する、請求項１に記載の装置。
【請求項３】
前記制御手段が、前記内接球の周囲の円に沿って前記第１サブ領域の前記空間位置を変化させるように前記駆動手段を制御する、請求項２に記載の装置。
【請求項４】
前記制御手段が、前記内接球の周囲の位置の３次元シーケンスに沿って、前記第１サブ領域の前記空間位置を変化させるように前記駆動手段を制御する、請求項１に記載の装置。
【請求項５】
前記制御手段が、前記内接球の周囲の球にわたって、前記第１サブ領域の前記空間位置を変化させるように前記駆動手段を制御する、請求項４に記載の装置。
【請求項６】
前記制御手段が、定角速度で前記第１サブ領域の前記空間位置を変化させるように前記駆動手段を制御する、請求項１に記載の装置。
【請求項７】
前記制御手段が、１乃至１００ｋＨｚの範囲の周波数で前記第１サブ領域の前記空間位置を変化させるように前記駆動手段を制御する、請求項１に記載の装置。
【請求項８】
前記周波数が１０乃至３０ｋＨｚの範囲である、請求項７に記載の装置。
【請求項９】
前記作用領域内の前記磁化に依存する検出信号を取得するための受信手段であって、該磁化は前記第１及び第２サブ領域の前記空間位置の変化によって影響される、受信手段と、
前記取得された検出信号から少なくとも前記中心領域の画像を再構成するための処理手段とをさらに有する、請求項１に記載の装置。
【請求項１０】
磁性材料が単磁区磁性ナノ粒子を有する、請求項１に記載の装置。
【請求項１１】
前記単磁区磁性ナノ粒子がコロイド的に安定化された単磁区磁性ナノ粒子である、請求項１０に記載の装置。
【請求項１２】
磁性材料が、リポソーム、ポリマーソーム、又は、疎水性膜によって分離される水の粘度と等しい若しくは同様の粘度の内部体積を持つ小胞に包まれる、単磁区磁性ナノ粒子を有し、前記磁性粒子は前記内部体積内に配置される、請求項１に記載の装置。
【請求項１３】
前記単磁区磁性ナノ粒子がコロイド的に安定化された単磁区磁性ナノ粒子である、請求項１２に記載の装置。
【請求項１４】
作用領域内の内接球の中心領域に位置する磁性材料の加熱のための装置の作動方法であって、前記装置が選択手段と、駆動手段と、制御手段とを有する方法において、
前記選択手段が、低磁場強度を持つ第１サブ領域と高磁場強度を持つ第２サブ領域が作用領域内に形成されるような、その磁場強度の空間内パターンを持つ選択磁場を発生させるステップと、
前記駆動手段が、前記磁性材料の磁化が局所的に変化するように駆動磁場を用いて前記作用領域内の前記２つのサブ領域の前記空間位置を変化させるステップと、
前記制御手段が、前記内接球の前記中心領域が加熱されるような期間と周波数で、前記内接球の周囲の位置のシーケンスに沿って前記第１サブ領域の前記空間位置を変化させるように前記駆動手段を制御するステップとを有する、方法。
【発明の詳細な説明】
【技術分野】
【０００１】
本発明は作用領域内の内接球の中心領域に位置する磁性材料の加熱のための装置及び対応方法に関する。さらに、本発明はコンピュータプログラムに関する。
【背景技術】
【０００２】
この種の装置はＷＯ２００４／０１８０３９Ａ１から知られ、これは特に磁性若しくは磁化可能物質の磁化を変化させることによる対象の標的領域の局所加熱のためのシステム及び方法を記載する。磁場が生成され、その磁場強度は、低磁場強度の第１サブ領域と、第１サブ領域を囲み高磁場強度を持つ第２サブ領域とが標的領域（作用領域とも呼ばれる）内に形成されるように空間内で変化する。その後、磁化の頻繁な変動のために粒子が所望温度まで加熱されるような期間にわたって、標的領域内の２つのサブ領域の空間位置が所定周波数で変化する。
【０００３】
いわゆる磁性粒子イメージング（ＭＰＩ）装置及び方法が、Ｇｌｅｉｃｈ，Ｂ．ａｎｄ  Ｗｅｉｚｅｎｅｃｋｅｒ，Ｊ．（２００５），"Ｔｏｍｏｇｒａｐｈｉｃ  ｉｍａｇｉｎｇ  ｕｓｉｎｇ  ｔｈｅ  ｎｏｎｌｉｎｅａｒ  ｒｅｓｐｏｎｓｅ  ｏｆ  ｍａｇｎｅｔｉｃ  ｐａｒｔｉｃｌｅｓ"Ｎａｔｕｒｅ，ｖｏｌ．４３５，ｐｐ．１２１４‐１２１７から知られている。この文献に記載の磁性粒子イメージング（ＭＰＩ）のための装置及び方法は小さな磁性粒子の非線形磁化曲線を利用する。検査領域内の磁化に依存する信号が記録され、この磁化はサブ領域の空間位置の変化によって影響を受けており、検査領域内の磁性粒子の空間分布に関する情報がこれらの信号から抽出され、検査領域の画像が生成されることができるようになっている。こうした装置は、任意の検査対象、例えば人体を、非破壊的な方法でいかなる損傷も生じることなく、高空間分解能で、検査対象の表面付近及び遠隔の両方において検査するために使用されることができるという利点を持つ。
【０００４】
Ｒｅｓｏｖｉｓｔ（登録商標）など、ＭＰＩでよい信号を与える多くの材料が利用可能である。磁性粒子がＡＣ磁場に反応するために、異なる機構が関与し得る。（１）単磁区粒子の場合のネール回転、（２）幾何ブラウン回転、及び（３）多磁区粒子の場合の磁壁運動。ＭＰＩの場合、磁性粒子はネール回転に最適化され、これは外磁場に対する高速応答を可能にし、非線形磁化応答がかなりの数の高調波で分析されることができるようになっている。
【０００５】
磁気温熱療法は局所加熱効果をあらわし、これは局所温度が範囲４２‐４５℃を超える場合腫瘍細胞のアポトーシスをもたらすことができる（熱焼灼）。小線源療法などの他の癌治療法と組み合わせて、局所中程度加熱は組み合わせ法の効果の増加をもたらし得る。局所加熱は腫瘍細胞中若しくはそのすぐ近傍における磁性ナノ粒子の存在によって実現されることができる。磁性ナノ粒子は通常は腫瘍内投与される。
【発明の概要】
【発明が解決しようとする課題】
【０００６】
本発明の目的は、作用領域内の内接球の中心領域に位置する磁性材料の加熱のための装置及び対応方法を提供することであり、これは加熱される中心領域に高度に集束される最適加熱条件を提供する。
【課題を解決するための手段】
【０００７】
本発明の第１の態様において、以下を有する作用領域内の内接球の中心領域に位置する磁性材料の加熱のための装置が提示される。
低磁場強度を持つ第１サブ領域と高磁場強度を持つ第２サブ領域が作用領域内に形成されるような、その磁場強度の空間内パターンを持つ選択磁場を発生させるための選択手段、
磁性材料の磁化が局所的に変化するように駆動磁場を用いて作用領域内の２つのサブ領域の空間位置を変化させるための駆動手段、及び
上記内接球の中心領域が加熱されるような期間と周波数で、上記内接球の周囲の位置のシーケンスに沿って第１サブ領域の空間位置を変化させるように駆動手段を制御するための制御手段。
【０００８】
本発明のさらなる態様において、対応方法が提示される。
【０００９】
さらに、本発明の別の態様において、コンピュータプログラムがコンピュータ上で実行されるときに本発明にかかる方法のステップを実行するよう、コンピュータに本発明にかかる装置を制御させるためのプログラムコード手段を有するコンピュータプログラムが提示される。
【００１０】
本発明の好適な実施形態は従属請求項に規定される。請求される方法は、請求される装置及び従属請求項に規定されるものと同様及び／又は同一の好適な実施形態を持つことが理解されるものとする。
【００１１】
本発明は以下の考察及び認識に基づく。
【００１２】
磁性ナノ粒子を用いて、磁場周波数及び振幅の関数である比出力損失がＰ（ν，Ｈ）＝μ０πχ"（ν）Ｈ２ν［Ｗ／ｇ］から計算されることができ、χ"（ν）は磁性ナノ粒子の磁化率の複素部分をあらわす。熱発生は２つの異なる現象の結果である。
１．磁性粒子内部の磁化のネール反転（熱緩和駆動）
２．流体懸濁液中の磁性粒子のブラウン回転（環境に対する）
【００１３】
温熱療法実験で使用される典型的な値は、粒径１０‐２５ｎｍ、周波数４００ｋＨｚ、振幅１０ｋＡ／ｍである。
【００１４】
温熱療法の問題は、２５ｋＨｚの操作基本周波数での磁性粒子イメージングとの互換性である。第１の選択肢は単位時間あたりにより多くの熱を発生させるために高周波数に移動することである。しかしこれはＭＰＩが高周波数にスケールすることを必要とし、これは関連粒子におけるより低い有効異方性の必要のために信号生成の損失をもたらす。第２の選択肢は高振幅に移動することであるが、ＭＰＩの周波数域、すなわち２５ｋＨｚの場合、複素磁化率においてブラウン運動の強い寄与があることが知られており、これは最小磁場振幅閾値を超えてすぐには増加しない。さらに、磁気温熱療法は高過ぎる振幅に対してその局所的技術としての能力を失う。全イメージング体積において想定される全磁場スイングは１０ｍＴであることが留意されるべきである。従って磁場値は増加するよりもむしろ減少するべきである。
【００１５】
このように１点をより長時間'熱'にさらす可能性がある。その結果は２要素から成る。（１）ワークフローの視点から、治療時間がそれに応じて増加する。（２）隣接組織への熱拡散のために、熱供給の局所的側面は弱まり、これはさらに長い治療時間をもたらす低いデューティサイクルでの操作によってしか克服されることができない。
【００１６】
本発明は懸濁磁性粒子のブラウン回転自由度に主に依存する。磁性粒子が腫瘍内に供給されることを考えると、無磁場点（ＦＦＰ；低磁場強度を持つ第１サブ領域に相当する）の空間位置のシーケンスが時間の関数として規定されることができ、これは累積磁気ベクトルを特定領域において、特に中心領域において、協調的に回転させることができる。かかる基本シーケンスは、磁性粒子が存在し、最終的に加熱効果が集束される規定領域の周囲を回転している。加熱出力は粒子の回転周波数に対応する。
【００１７】
数ｋＨｚ乃至数十ｋＨｚのオーダーのブラウン緩和に対するデバイ時定数を考えると、これは流体力学的直径（τ＝４πηｒ３／ｋＴ）に依存するが、最大加熱出力は類似回転粒子周波数において生成される。興味深い側面は、ＭＰＩの基本周波数が同じオーダー、すなわち２５ｋＨｚであることである。
【００１８】
従って、本発明によれば、回転局所加熱シーケンス群（特にＭＰＩの場合、それによって信号検出のための受信手段及び上記検出信号からの画像生成のための処理手段が必ずしも必要ない）が提案され、これは例えば局所癌治療のための非常に局所的な加熱を可能にする。
【００１９】
回転シーケンスは時間の関数として無磁場点の空間位置と定義される。この位置が、磁性材料がその原点にある球上に位置するとする。３Ｄ空間において無磁場点は、電子がその核の周りを回転するのと同じように磁性材料の周りを'回転する'。磁性材料はここで、連続的に方向を変えている、すなわち無磁場点と反対の方向である定磁場にさらされるという事実のために、磁化ベクトルはこの磁場に整列（しようと）する。有効磁場強度はＭＰＩにおける傾斜磁場及び回転球の半径の関数である。
【００２０】
ネール内部再配置とブラウン粒子回転の競争において、両方の自由度が励起され得る。大きな磁心サイズは、高異方性による格子内の磁化ベクトルのフラストレーションのためにブラウン粒子回転を好む傾向を持ち、測定の時間枠内でネール内部再配置を許さない（超常磁性の消失）。結果として最も効率的な熱発生機構が最大限励起されることができる。
【００２１】
好適な実施形態において、磁性粒子分析は、化学合成若しくは物理的分画のいずれかから、ブラウン粒子回転を好むように最適化される。これは好適には熱的にブロックされるナノ粒子によって実現される。これの見方は以下の通りである。超常磁性は例えばＭＲＩ造影剤の背後にある基本的効果である。
【００２２】
磁心直径及び／又は磁気異方性が増加する場合、これは熱エネルギーｋ．Ｔと比較される積Ｋ．Ｖに等しい"エネルギー"の増加に物理的に相当するが、磁化が熱的にブロックされ得る。実際、これはネール内部再配置がもはや不可能であり、ブラウン回転が支配することを意味する（ただし動作周波数域がこの基本周波数〜ｋＨｚに一致することを条件とする）。酸化鉄粒子の場合、この遷移は通常は約２０乃至４０ｎｍで起こる。大きな粒子の分析、及びかなりの多分散性、すなわち大きな粒子の重要な画分を伴う分析がもたらされることができる。
【００２３】
結果として、本発明によれば、ＭＰＩは回転シーケンス設計によって局所的に最適加熱条件を提供及び集束させる優れた方法へと変えられている。これは提供されるべき治療における高度の分画を防ぎ、これは最適ワークフローにとって必須である。
【００２４】
好適な実施形態によれば、制御手段は、位置の２次元シーケンスに沿って、特に円に沿って、上記内接球の周りで、第１サブ領域の空間位置を変化させるように駆動手段を制御するのに適している。
【００２５】
代替的な実施形態によれば、制御手段は、位置の３次元シーケンスに沿って、特に球にわたって、上記内接球の周りで、第１サブ領域の空間位置を変化させるように駆動手段を制御するのに適している。
【００２６】
２次元軌道の１つの主な利点は、好適にはＭＰＩシステムの配置に一致する面において、２つの電流のみを伴う単純な制御方式である。３次元軌道の１つの主な利点は、円形回転が３次元にわたって調節されることができることである。結果として、任意の磁性材料が無磁場点の経路に沿って存在する場合（従って関心点、すなわち円／球若しくは腫瘍の原点の外側）、この材料の再配向は効果的にデューティサイクルされ、関心点（＝腫瘍）の外側で発生する熱が少なくなるようになっている。
【００２７】
好適には、制御手段は定角速度で第１サブ領域の空間位置を変化させるように駆動手段を制御するのに適している。これは単純な実施を可能にする。加えて、磁化ベクトルは定角速度で連続的に回転しており、これは最適加熱効率につながる。
【００２８】
さらに、有利な実施形態において、制御手段は１乃至１００ｋＨｚの範囲、特に１０乃至３０ｋＨｚの範囲の周波数で第１サブ領域の空間位置を変化させるように駆動手段を制御するのに適している。好適には、システムがイメージングモードから加熱モードへ切り替えられるように、ＭＰＩイメージングに適合する周波数が使用される。回転モードの場合、特徴的な時定数は数十マイクロ秒のオーダーであり、これは周波数を数十ｋＨｚに制限する。２５ｋＨｚの範囲の周波数がよい妥協案である。
【００２９】
好適な実施形態によれば、磁性粒子の存在は、ＭＰＩ装置において従来備わっているように、検出信号を取得するための受信手段及び画像を再構成するための処理手段の提供によって、加熱実験の前及び／又は後に画像化されるか若しくは観察されることができる。ＭＰＩ及び温熱療法における動作周波数、傾斜磁場及び磁場振幅などの機器的側面は、全機能が同じ装置を用いて実行されることができるように、同等になることができる。
【００３０】
好適な磁性材料は単磁区磁性ナノ粒子、特にコロイド的に安定化された単磁区磁性ナノ粒子を有する。さらに好適には、単磁区磁性ナノ粒子、特にコロイド的に安定化された単磁区磁性ナノ粒子は、リポソーム、ポリマーソーム、又は、疎水性膜によって分離される水の粘度と等しい若しくは同様の粘度の内部体積を持つ小胞の中に包まれ、磁性粒子は内部体積の中に配置される。
【００３１】
本発明のこれらの及び他の態様は以下に記載される実施形態を参照して明らかとなり説明される。
【図面の簡単な説明】
【００３２】
【図１】磁性粒子イメージング（ＭＰＩ）装置の原理レイアウトの略図を示す。
【図２】本発明にかかる装置によって作られる磁力線パターンの一実施例を示す。
【図３】作用領域に存在する磁性粒子の拡大図を示す。
【図４ａ】かかる粒子の磁化特性を示す。
【図４ｂ】かかる粒子の磁化特性を示す。
【図５】本発明にかかる装置の一実施形態のブロック図を示す。
【図６】２次元シーケンスの一実施例の図を示す。
【図７】３次元シーケンスの一実施例の図を示す。
【図８】３次元シーケンスの別の実施例の図を示す。
【図９】多分散材料のガウス分布を図示する図を示す。
【図１０】磁心直径の関数として出力発生を図示する図を示す。
【発明を実施するための形態】
【００３３】
図１はＭＰＩ装置１０を用いて検査されるべき任意の対象を示す。図１における参照数字３５０は、この場合は人若しくは動物の患者である対象をあらわし、患者台３５１上に配置され、その上端の部分のみが示される。本発明にかかる方法の適用の前に磁性粒子１００（図１には示されない）が発明装置１０の作用領域３００に配置される。特に例えば腫瘍の治療的及び／又は診断的処置の前に、磁性粒子１００が、例えば患者３５０の身体に注入される磁性粒子１００を有する液体（図示せず）を用いて、作用領域３００に配置される。
【００３４】
本発明の一実施形態の一実施例として、その範囲が、処置領域３００とも呼ばれる作用領域３００の範囲を規定する選択手段２１０を形成する複数のコイルを有する装置１０が図２に示される。例えば、選択手段２１０は患者３５０の上及び下に、又はテーブルトップの上及び下に配置される。例えば、選択手段２１０は第１コイルペア２１０'，２１０"を有し、各々は２つの同様に構成された巻線２１０'及び２１０"を有し、これらは患者３５０の上及び下に同軸上に配置され、特に逆方向に、等しい電流によって横断される。以下、第１コイルペア２１０'，２１０"は一緒に選択手段２１０と呼ばれる。好適にはこの場合は直流が使用される。選択手段２１０は選択磁場２１１を発生させ、これは一般に磁力線によって図２にあらわされる傾斜磁場である。これは選択手段２１０のコイルペアの（例えば垂直）軸の方向に実質的に一定の傾斜を持ち、この軸上の点において値ゼロに達する。この無磁場点（図２には個別に示されない）から始めて、選択磁場２１１の磁場強度は、距離が無磁場点から増加するので３つの空間方向全てにおいて増加する。第１サブ領域３０１すなわち無磁場点の周囲の点線で示される領域３０１において、磁場強度はその第１サブ領域３０１に存在する粒子１００の磁化が飽和しないほど小さく、一方第２サブ領域３０２（領域３０１の外側）に存在する粒子１００の磁化は飽和状態にある。作用領域３００の無磁場点若しくは第１サブ領域３０１は好適には空間的にコヒーレントな領域である。これはまた点状領域、又は線若しくは平面領域でもあり得る。第２サブ領域３０２において（すなわち第１サブ領域３０１の外側の作用領域３００の残りの部分において）、磁場強度は粒子１００を飽和状態に維持するために十分に強い。作用領域３００内の２つのサブ領域３０１，３０２の位置を変化させることによって、作用領域３００における（全体の）磁化が変化する。作用領域３００における磁化若しくは磁化によって影響を受ける物理的パラメータを測定することによって、作用領域内の磁性粒子の空間分布についての情報が得られる。作用領域３００における２つのサブ領域３０１，３０２の相対空間位置を変化させるために、さらなる磁場、いわゆる駆動磁場２２１が、作用領域３００若しくは少なくとも作用領域３００の一部において選択磁場２１１に重ねられる。
【００３５】
図３は本発明の装置１０と一緒に使用される種類の磁性粒子１００の一実施例を示す。これは例えば、例えばガラスの球状基板１０１を有し、これは例えば５ｎｍの厚さを持ち例えば鉄‐ニッケル合金（例えばパーマロイ）から成る軟磁性層１０２を備える。この層は例えば酸などの化学的及び／又は物理的侵食環境に対して粒子１００を保護する例えばコーティング層１０３を用いて覆われ得る。かかる粒子１００の磁化の飽和に必要な選択磁場２１１の磁場強度は、様々なパラメータ、例えば粒子１００の直径、磁気層１０２に対して使用された磁性材料、及び他のパラメータに依存する。
【００３６】
例えば１０μｍの直径の場合、およそ８００Ａ／ｍ（１ｍＴの磁束密度に大体対応する）が必要とされ、１００μｍの直径の場合８０Ａ／ｍの磁場が十分である。さらに小さな値は、低い飽和磁化を持つ材料のコーティング１０２が選ばれるとき、又は層１０２の厚さが削減されるときに得られる。
【００３７】
好適な磁性粒子のさらなる詳細については、ＤＥ１０１５１７７８の対応部分、特にＤＥ１０１５１７７８の優先権の利益を主張するＥＰ１３０４５４２Ａ２の段落１６乃至２０及び段落５７乃至６１が引用によって本明細書に組み込まれる。
【００３８】
別の適切な材料は、例えばＥＰ１７３８７７３及びＥＰ１７３８７７４に記載され、そこにはＭＰＩのために最適化された磁性ナノ粒子、すなわちコロイド酸化鉄ベースのＳＰＩＯ（すなわち超常磁性ナノ粒子）が記載されている。他の適切な材料は単磁区磁性ナノ粒子、特にコロイド的に安定化された単磁区磁性ナノ粒子を有する。さらに好適には単磁区磁性ナノ粒子、特にコロイド的に安定化された単磁区磁性ナノ粒子は、リポソーム、ポリマーソーム、又は疎水性膜によって分離される水の粘度と等しい若しくは同様の粘度を持つ内部体積を持つ小胞の中に包まれ、磁性粒子は内部体積の中に配置される。
【００３９】
第１サブ領域３０１のサイズは一方では選択磁場２１１の傾斜磁場の強度に、他方では飽和に必要な磁場の磁場強度に依存する。８０Ａ／ｍの磁場強度及び１６０×１０３Ａ／ｍ２になる選択磁場２１１の磁場強度の傾斜磁場（所定空間方向）における磁性粒子１００の十分な飽和のために、粒子１００の磁化が飽和しない第１サブ領域３０１は約１ｍｍの寸法を持つ（所定空間方向）。
【００４０】
さらなる磁場（以下駆動磁場２２１と呼ばれる）が作用領域３００において選択磁場２１０（若しくは傾斜磁場２１０）に重ね合わされると、第１サブ領域３０１は第２サブ領域３０２に対してこの駆動磁場２２１の方向にシフトされる。このシフトの程度は駆動磁場２２１の強度が増加するにつれて増加する。重ねられた駆動磁場２２１が時間変化するとき、第１サブ領域３０１の位置はそれに応じて時間及び空間において変化する。駆動磁場２２１変動の周波数帯域とは別の周波数帯域（高周波数へシフトされる）において第１サブ領域３０１に位置する磁性粒子１００からの信号を受信若しくは検出することが有利である。これは、駆動磁場２２１周波数の高調波の周波数成分が、磁化特性の非線形性の結果として作用領域３００における磁性粒子１００の磁化の変化によって起こるために可能である。
【００４１】
空間内の任意の所定方向に対してこれらの駆動磁場２２１を発生させるために、３つのさらなるコイルペア、すなわち第２コイルペア２２０'、第３コイルペア２２０"、及び第４コイルペア２２０'''が設けられ、以下これらは一緒に駆動手段２２０と呼ばれる。例えば、第２コイルペア２２０'は駆動磁場２２１の成分を発生させ、これは第１コイルペア２１０'，２１０"すなわち選択手段２１０のコイル軸の方向に、すなわち例えば垂直にのびる。このため第２コイルペア２２０'の巻線は同じ方向に等しい電流によって横断される。第２コイルペア２２０'を用いて得られる効果は、原則的に、電流が一方のコイルにおいて減少し他方のコイルにおいて増加するように、第１コイルペア２１０'，２１０"における逆向きの等しい電流に対する同じ方向の電流の重ね合わせによっても得られる。しかしながら、特に高い信号対ノイズ比を持つ信号解釈の目的のために、時間的に一定の（若しくは準一定の）選択磁場２１１（傾斜磁場とも呼ばれる）及び時間的に変化する垂直駆動磁場が、選択手段２１０及び駆動手段２２０の個別のコイルペアによって生じるときに有利になり得る。
【００４２】
２つのさらなるコイルペア２２０"，２２０'''は、空間内の異なる方向に、例えば作用領域３００（若しくは患者３５０）の長手方向に水平に、及びそれに垂直な方向にのびる駆動磁場２２１の成分を発生させるために設けられる。（選択手段２１０及び駆動手段２２０のコイルペアのように）ヘルムホルツ型の第３及び第４のコイルペア２２０"，２２０'''がこの目的のために使用された場合、これらのコイルペアはそれぞれ処置領域の左及び右に、又はこの領域の前及び後ろに配置されなければならない。これは作用領域３００すなわち処置領域３００のアクセス性に影響を及ぼす。従って、第３及び／又は第４の磁気コイルペア若しくはコイル２２０"，２２０'''もまた作用領域３００の上下に配置され、従ってその巻線構成は第２コイルペア２２０'のものとは異ならなければならない。しかしながらこの種のコイルは、高周波（ＲＦ）コイルペアが処置領域の上下に位置するオープン磁石を持つ磁気共鳴装置（オープンＭＲＩ）の分野から知られ、上記ＲＦコイルペアは水平な時間的に変化する磁場を発生させることができる。従って、かかるコイルの構成は本明細書ではさらに詳述される必要がない。
【００４３】
本発明にかかる装置１０のこの実施形態はさらに、図１に概略的にしか示されていない受信手段２３０を有する。受信手段２３０は通常、作用領域３００における磁性粒子１００の磁化パターンによって誘導される信号を検出することができるコイルを有する。しかしながらこの種のコイルは、例えば信号対ノイズ比をできる限り高くするために作用領域３００の周りに高周波（ＲＦ）コイルペアが位置する磁気共鳴装置の分野から知られている。従ってかかるコイルの構成は本明細書ではさらに詳述される必要がない。
【００４４】
かかる受信手段２３０は本発明の所望の方法を実行するために必ずしも必要でないことに留意されたい。磁性材料１００の加熱に加えてイメージングが望まれる場合のみ、かかる受信手段２３０が装置に設けられるものとする。
【００４５】
図１に示される選択手段２１０に対する別の実施形態において、傾斜選択磁場２１１を発生させるために永久磁石（図示せず）が使用されることができる。かかる（対向する）永久磁石（図示せず）の２つの極の間の空間において、図２のものと同様の磁場が、つまり対向する極が同じ極性を持つときに、形成される。本発明にかかる装置の別の代替的実施形態において、選択手段２１０は少なくとも１つの永久磁石と、図２に描かれるような少なくとも１つのコイル２１０'，２１０"の両方を有する。
【００４６】
選択手段２１０、駆動手段２２０及び受信手段２３０の異なる要素に対して若しくはそれらにおいて通常使用される周波数域は大体以下の通りである。選択手段２１０によって生じる磁場は経時的に全く変化しないか又は変化が比較的遅く、好適にはおよそ１Ｈｚとおよそ１００Ｈｚの間である。駆動手段２２０によって生じる磁場は好適にはおよそ２５ｋＨｚとおよそ１００ｋＨｚの間で変化する。受信手段が感知するはずである磁場変動は好適にはおよそ５０ｋＨｚ乃至およそ１０ＭＨｚの周波数域である。
【００４７】
図４ａ及び４ｂは磁化特性、つまり粒子１００（図４ａ及び４ｂには示されない）の磁化Ｍの変化を、かかる粒子を有する分散におけるその粒子１００の位置における磁場強度Ｈの関数として示す。磁化Ｍは磁場強度＋Ｈｃより上に、及び磁場強度−Ｈｃより下にはもう変化しないように見え、これは飽和磁化に達したことを意味する。磁化Ｍは値＋Ｈｃ及び−Ｈｃの間では飽和しない。
【００４８】
図４ａは粒子１００の位置における正弦波磁場Ｈ（ｔ）の効果を図示し、得られる正弦波磁場Ｈ（ｔ）の絶対値（すなわち"粒子１００によって見られる"）は粒子１００を磁気的に飽和させるために必要な、すなわちさらなる磁場が活性でない場合における磁場強度よりも低い。この条件の場合の１つ若しくは複数の粒子１００の磁化は、磁場Ｈ（ｔ）の周波数のリズムにおいてその飽和値の間で往復運動する。得られる磁化の時間変動は図４ａの右側に参照記号Ｍ（ｔ）で示される。磁化はまた周期的に変化し、かかる粒子の磁化は周期的に反転されるように見える。
【００４９】
曲線の中心における線の点線部分は磁化Ｍ（ｔ）のおおよその平均変動を正弦波磁場Ｈ（ｔ）の磁場強度の関数として示す。この中心線からの逸脱として、磁場Ｈが−Ｈｃから＋Ｈｃへ増加すると磁化は右へわずかに広がり、磁場Ｈが＋Ｈｃから−Ｈｃへ減少すると左へわずかに広がる。この既知の効果はヒステリシス効果と呼ばれ、熱発生の機構の根底にある。曲線の経路の間に形成されるヒステリシス表面積及びその形状とサイズは材料に依存し、磁化の変動による熱発生に対する測度である。
【００５０】
図４ｂは静磁場Ｈ１がその上に重ね合わされる正弦波磁場Ｈ（ｔ）の効果を示す。磁化は飽和状態にあるので、これは実質的に正弦波磁場Ｈ（ｔ）によって影響されない。磁化Ｍ（ｔ）はこの領域において時間的に一定のままである。結果として、磁場Ｈ（ｔ）は磁化の状態の変化を生じない。
【００５１】
図５は図１に示される装置１０のブロック図を示す。選択手段２１０が図５に概略的に示される。好適には、選択手段２１０は３つの選択磁場発生手段、特にコイル、永久磁石又はコイルと永久磁石の組み合わせのいずれかを備える。上記３つの選択磁場発生手段は好適には各空間方向に対して１つの選択磁場発生手段が設けられるように配置される。一実施形態においてコイルペアが選択磁場発生手段として設けられる場合、コイルペアは制御可能な電源３２からＤＣ電流を供給され、上記電源３２は制御手段７６によって制御される。選択磁場２１１の傾斜磁場強度を所望の方向に個別に設定するために、重畳電流がコイルペアの少なくとも１つに重ねられ、対向コイルの重畳電流は逆向きである。好適な実施形態において、制御手段７６はさらに選択磁場２１１の３つの空間画分全ての磁場強度の合計と傾斜磁場強度の合計が所定レベルに維持されるように制御する。
【００５２】
一実施形態において永久磁石がコイルペアの代わりに選択磁場発生手段として設けられる場合、電源３２は例えば電気モータなどの駆動手段３２'によって交換される必要があり、これは制御手段７６によって提供される制御信号に従って所望の方向に傾斜磁場強度を設定するために永久磁石を機械的に動かすことができる。
【００５３】
そして制御手段７６は、検査領域内の磁性粒子の分布を表示するためのモニタ１３、及び例えばキーボードなどの入力ユニット１４に結合されるコンピュータ１２に接続される。従ってユーザは最高解像度の所望方向を設定することができ、そしてモニタ１３上で作用領域の各画像を受信する。最高解像度が必要とされる重要な方向がユーザによって最初に設定される方向から逸脱する場合、ユーザはそれでも向上した画像解像度でさらなる画像を生成するために手動で方向を変えることができる。この解像度向上過程は制御手段７６とコンピュータ１２によって自動的に操作されることもできる。この実施形態における制御手段７６は自動的に推定される若しくはユーザによって初期値として設定される第１の方向に傾斜磁場を設定する。そして傾斜磁場の方向は、コンピュータ１２によって比較される、それによる受信画像の解像度が最大になり、各々それ以上向上しなくなるまで、段階的に変えられる。従って最も重要な方向は、可能な限り最高解像度を受信するために各々自動的に適応されるのがわかる。
【００５４】
コイルペア（第２磁気手段）２２０'，２２０"，２２０'''は電流増幅器４１，５１，６１に接続され、そこから電流を受信する。そして電流増幅器４１，５１，６１は各場合においてＡＣ電源４２，５２，６２に接続され、これは増幅される電流Ｉｘ，Ｉｙ，Ｉｚの時間的経過を規定する。ＡＣ電源４２，５２，６２は制御手段７６によって制御される。
【００５５】
必ずしも必要でないが、受信コイル（受信手段）もまた図５に概略的に示される。受信コイル２３０において誘導される信号はフィルタユニット７１に与えられ、これを用いて信号がフィルタされる。このフィルタリングの目的は、２つの部分領域（３０１，３０２）の位置変化によって影響される検査領域内の磁化によって生じる測定値を他の干渉信号から分離することである。このために、フィルタユニット７１は例えばコイルペア２２０'，２２０"，２２０'''が操作される時間周波数よりも小さい、若しくはこれらの時間周波数の２倍よりも小さい時間周波数を持つ信号がフィルタユニット７１を通過しないように設計され得る。そして信号は増幅ユニット７２を介してアナログ／デジタル変換器７３（ＡＤＣ）へ送信される。アナログ／デジタル変換器７３によって生成されるデジタル化信号は画像処理ユニット（再構成手段とも呼ばれる）７４へ与えられ、これはこれらの信号と、画像処理ユニット７４が制御手段７６から得る、各信号の受信中に検査領域内の第１磁場の第１部分領域３０１がとっていた各位置とから、磁性粒子の空間分布を再構成する。再構成された磁性粒子の空間分布は最後に制御手段７６を介してコンピュータ１２へ送信され、これはモニタ１３上にこれを表示する。
【００５６】
ＷＯ２００４／０１８０３９Ａにおいてかかる装置（受信手段なし）が対象の領域の局所加熱の適用のために記載されている。その中には特に、第１サブ領域の空間位置がわずかに変えられるとき、第１サブ領域にある粒子、又は第１から第２サブ領域へ若しくはその逆に移動する粒子の磁化が変化することが記載されている。この磁化の変化のために、例えば粒子における既知のヒステリシス効果若しくはヒステリシス状効果のために、又は粒子運動の開始のために、熱損失が起こり、粒子の周囲の媒体の温度は加熱領域において加熱される。磁場の第１サブ領域が標的領域全体を通してシフトされるとき、加熱領域は標的領域に対応する。第１サブ領域が小さい程、可能な限り最小加熱領域のサイズは小さくなる。
【００５７】
磁化が一度しか変化しないとき、比較的少量の熱しか生じないので、磁化は複数回変化しなければならない。必要な変化の数、つまり所定時間間隔内の周波数及び加熱領域内の粒子の周囲の媒体の関連温度上昇は、粒子濃度、変化あたりの熱発生量（これ自体が粒子構造及び磁化反転の速度に依存する）、及び加熱領域の周囲の領域内の熱放散に依存する。
【００５８】
加熱の適用の一般的態様のさらなる詳細に関してＷＯ２００４／０１８０３９Ａが参照され、それらの一般的態様の記載は引用により本明細書に組み込まれる。
【００５９】
既知の加熱効果は主に上記のネール効果を利用する。対照的に、本発明は主に懸濁磁性粒子のブラウン回転自由度に依存する。従って、本発明によれば駆動手段２２０を制御するための制御手段７６は、第１サブ領域３０１（ＦＦＰ）の空間位置を、内接球の周囲の位置のシーケンスに沿って、上記内接球の中心領域が加熱されるような期間と周波数で、変化させるように構成される。これは図６に概略的に図示され、例えば中に腫瘍が位置し、中に磁性材料１００が置かれる、中心領域４０１の周りのＦＦＰ３０１の位置の２次元連続回転シーケンス４００を示す。内接球は好適には円形シーケンス４００と同じ直径を持つが、もっと小さな直径を持つこともできる（ただしもっと大きな直径は不可）。
【００６０】
回転シーケンス４００は、ＡＣ磁場を重畳した、その無磁場点が磁性材料内の位置にある選択磁場によって、時間の関数として生成される。ＡＣ磁場は直交する（９０度位相シフト）：Ｈｘ＝Ｈｅｆｆ  ｃｏｓ（ωｔ）；Ｈｙ＝Ｈｅｆｆ  ｃｏｓ（ωｔ＋π／２）＝Ｈｅｆｆ  ｓｉｎ（ωｔ）、Ｈｅｆｆは傾斜選択磁場と、無磁場点の有効時間発展を視覚化する回転円の半径の積に等しい。
【００６１】
周波数と有効磁場Ｈｅｆｆの組み合わせは最大熱発生のための特定磁性粒子分析に従って最適化されることができる。周波数と有効磁場は特定磁性粒子分析における最大熱発生のために調整されることができる。反対に、そうした粒子を作るように化学物質を調整することは最も難しい。熱発生は有効磁場と周波数の２乗に対応するが、複素磁化率もまた周波数、及びネール／ブラウン再磁化の時定数の関数である。従って１分析おきに最適パラメータが見つけられることが予測される。
【００６２】
有効磁場は、システムにおける傾斜磁場、及び無磁場点がそれに沿って周回する内接球の直径によって設定されることに留意されたい。この有効磁場は可能な限り大きくなければならないが、実際には〜５‐１０‐２０ｍＴに制限される。
【００６３】
別の実施形態において、連続３Ｄシーケンスが使用される。この実施形態において、回転シーケンスは最終的にその無磁場点を球上に置くが、次式で実現される３Ｄにおける完全な球をカバーする：Ｈｘ＝Ｈｅｆｆ  ｃｏｓ（ω１ｔ）ｃｏｓ（ω２ｔ）；Ｈｙ＝Ｈｅｆｆ  ｃｏｓ（ω１ｔ）ｓｉｎ（ω２ｔ）；Ｈｚ＝Ｈｅｆｆ  ｃｏｓ（ω２ｔ）、ω１とω２はわずかだけ、例えば１％だけ異なり、Ｈｅｆｆは傾斜選択磁場と回転球の半径の積に等しい。
【００６４】
再度、周波数と有効磁場Ｈｅｆｆの組み合わせは最大熱発生のための特定磁性粒子に従って最適化されることができる。最適化に関する上記コメントがここでも当てはまる。
【００６５】
内接特徴が各々円若しくは球に相当する限り、より複雑なシーケンスが２Ｄ若しくは３Ｄで使用されることができる。２つの実施例は図７及び８に描かれるパラメトリック２Ｄ及び３Ｄ時間経路４１０，４２０を含む。パラメトリック経路に含まれる周波数は好適には、送信及び受信フィルタなどの機器における設計面を複雑にしないよう、わずかだけ異なる（上述のω１及びω２と比較する）２つの基本周波数に制限される。結果として、中心４０１における磁性粒子１００の磁化ベクトルの有効トルク（若しくはより一般的に言えば操作）はその位置における有効磁場における変調によって調節される。この自由度は最大熱発生のための有効磁場及び周波数の最適化のための追加パラメータを与える。もう一度、最大熱発生は磁性材料の局所的存在によって作られている潜在的焦点を維持するために必須であることに留意されたい。
【００６６】
本明細書に記載の有効デューティサイクルはＭＰＩイメージングのための特定動作周波数に完全には適合しない磁性粒子分析にとって適切であり得る。
【００６７】
従って、上記の通り、全軌道に共通した特徴は、腫瘍の位置の周囲に形成される内接球を有するということである。結果としてその位置における任意の磁性材料の磁化が回転特徴を持つ。
【００６８】
好適にはシステムがイメージングモードから加熱モードへ切り替えられることができるようにＭＰＩイメージングに適合する周波数が使用される。回転モードの場合、特徴的時定数は数十マイクロ秒のオーダーであり、これは周波数を数十ｋＨｚに制限する。従って２５ｋＨｚはよい妥協案である。
【００６９】
円の２Ｄの場合は位相オフセット（π／２）である同じ周波数を使用する。
極座標ｒ＝ｒ；Θ＝２πｆｔ  等号  ｘ＝ｒ  ｃｏｓ（２πｆ．ｔ）；ｙ＝ｒ  ｃｏｓ（２πｆ．ｔ＋π／２）
【００７０】
３Ｄの場合、システムがイメージング及び加熱モードの間で容易に切り替えられるようにＭＰＩイメージングに適合する周波数が好適には使用される。
【００７１】
２Ｄから３Ｄになる上でのアイデアへの鍵は、全体の加熱が効果的により中心に集束されるように、（ＦＦＰ局所切り替えによる）円軌道上の任意の追加加熱効果を球軌道全体に拡げることである。円軌道上のこうした追加加熱効果につながる任意の非意図的な再磁化工程はその結果、かかる特定位置における平均熱発生が小さくなるように効果的にデューティサイクルされる。
【００７２】
ＦＦＰの位置において（存在する場合に限り、そこの磁性材料のネール回転のために）いくらかの加熱効果があるかもしれないことに留意することが重要である。しかしながら、本発明によればＦＦＰの軌道によって形成される円／球内の加熱（すなわち腫瘍の位置における）は、大いにもっと有効である。後者の加熱効果は粒子のブラウン回転による。追加加熱がＦＦＰ位置及び軌道において起こるという事実は、中心腫瘍位置からの熱放散を抑制するので実際に有利である。
【００７３】
ここで特定の実施例は２つの造影剤の同時使用であり得る。第１の薬剤は静脈注射されるイメージングモードにおけるＭＰＩのための標準血液プール剤であり、第２の方は治療のために例えば腫瘍内投与される。第１の薬剤は腫瘍の位置を強調するために腫瘍の中若しくは付近に存在し、さらにわずかに蓄積し得るが、第２の方は治療の時間枠内において腫瘍内に固定される。この場合第１の薬剤の材料によるいかなる加熱も最小限に抑えられることが重要である。
【００７４】
好適には磁性粒子は基本的に非結合であるべきである。これは例えば細胞（アクティブな標的）に固定される粒子は限られた加熱能力を持ち得ることを意味する。しかしながら、自由運動粒子、又はリポソーム若しくは乳液に含まれる粒子は、中に粒子が位置する媒体の粘度が水の粘度に等しい若しくは同様であるという条件で、優れた加熱力を持つ。
【００７５】
操作方法の変化（ネール回転ではなくブラウン回転）による別の重要な効果は、磁性材料の多分散性のために（通常は化学合成後に現れる）、ブラウン回転が効果的な加熱のためのサイズ‐周波数の組み合わせに特異的に制限されないことである。図９及び１０に示されるグラフは小さな説明を与える。
【００７６】
部分分布対磁心直径を図示する、図９に示される多分散材料のガウス分布が想定され、平均２０ｎｍ及び標準偏差５ｎｍである。Ｘ軸は磁心直径Ｄをナノメートルで示し、Ｙ軸は分布の強度若しくは分率（ｃｆｒ％）を示す。この分布の下の積分は１＝１００％に等しいはずである。
【００７７】
図１０は磁心直径の関数として出力発生を図示する図を示す。Ｘ軸は磁心直径Ｄを示し、Ｙ軸は、所定磁心直径に対する単位密度あたりの出力損失（Ｗ／ｇ）と分布の強度の積から計算される単位密度あたりの分数出力損失Ｐｌｏｓｓを示す。曲線の下の積分は材料に対する単位密度あたりの総出力損失（Ｗ／ｇ）を与える。３つの曲線はネールのみ、ブラウンのみ、及びその組み合わせ（平均）に対応する。平均という語は後者の場合ネール及びブラウンに対する時定数の計量に関連する。τｅｆｆ＝τＮτＢ／（τＮ＋τＢ）
【００７８】
これが全材料にわたって積分される場合、ブラウン回転の場合における完全磁性材料に対する積分出力密度は大体ネールの場合より一桁分高い、すなわち７６Ｗ／ｇ対１１Ｗ／ｇで、６２Ｗ／ｇ平均と比較される［飽和磁化Ｍｓ＝２３０ｋＡ／ｍ／磁場Ｈ＝１０ｋＡ／ｍ］。
【００７９】
'Ｍａｇｎｅｔｉｓｍ  ｉｎ  Ｍｅｄｉｃｉｎｅ'，Ｃｈａｐｔｅｒ  ４．６／Ｒｏｓｅｎｓｗｅｉｇ  ２００２，ＪＭＭＭ  ２５２，３７０‐７４においても見られる基本方程式は、以下の通りである。
【００８０】
材料単位重量あたりの磁性材料の損失出力密度は（線形近似で）ＰＮ／Ｂ＝μ０πχ"Ｈ２ｆ／ρで与えられ、これは周波数ｆと印加磁場Ｈの関数である。式は材料の密度によってスケールされる。
【００８１】
磁化率の虚数部は
0005750098.tif 000002
によって与えられ、体積Ｖｉは磁気トルクがかけられる磁心体積を示す。
【００８２】
ネール及びブラウンに対する基本時定数は個別に、
0005750098.tif 000003
によって各々与えられる。
【００８３】
磁気異方性Ｋ、粘度η及び流体力学的体積Ｖｈｉは磁心及びコーティングの寸法を含んでいることに留意されたい。
【００８４】
両モードに対して同時に時定数がτｅｆｆ＝τＮτＢ／（τＮ＋τＢ）として計算されることができる。他の方程式も有効である。
【００８５】
本発明は例えば前立腺、乳房若しくは頭部／頸部における異なる癌の治療のための磁気温熱療法若しくは熱焼灼において有利に適用されることができる。これはまた小線源療法、化学療法、放射線療法などの他の癌治療選択肢と組み合わせて適用されることもできる。
【００８６】
文献から、かかる手順は通常数分から数十分続く。最も重要なのは温熱療法としての適用であり、２つの基本モードが存在する。いずれか一方は４１°‐４３℃の高温での適度な加熱を目指し、その間に温熱療法は主によりよい効果のために他の治療を補助することが意図され、又は一方は４５°‐４７℃での熱焼灼を目指し、健常組織周辺を加熱するリスクを伴う直接細胞死若しくはアポトーシスをもたらす。従って後者の場合高速温度過渡が最も適切になり得る。'期間はどれくらいか'についての単純な答えは、治療がこの高温を必要とする期間となる。例えば、局所小線源療法（前立腺）を支援するために、１時間の分画が使用され、毎週繰り返される。局所治療は高温になり、従ってより短い期間とおそらくは治療のより多くの分画になることが予想される。治療計画に重要なことは時間を制限し得るＳＡＲ（比吸収率）である。ＳＡＲは磁性材料が変調される場所に制限される。ＭＰＩ及び特に本発明の使用はこの範囲に有利であり、全身変調磁場と比較してより長い治療時間が可能になるようになっている。
【００８７】
要約すると、本発明によればＭＰＩのための回転局所加熱シーケンス群が提案され、これは局所癌治療のための非常に局所的な加熱を可能にする。本発明は主に懸濁磁性粒子のブラウン回転自由度に依存する。磁性粒子が腫瘍内に供給されることを考えると、特定領域における累積磁気ベクトルを協調的に回転させることができるシーケンスが設計されることができる。かかる基本的に３Ｄのシーケンスは磁性粒子が存在する規定領域の周りを回転しなければならず、ここで最終的に加熱効果が集束される。加熱出力は粒子の回転周波数に対応する。
【００８８】
本発明は図面と前述の説明において詳細に図示され記載されているが、かかる図示と記載は例示若しくは説明であって限定とはみなされないものとし、本発明は開示された実施形態に限定されない。開示された実施形態への他の変更は、図面、開示及び添付の請求項の考察から、請求される発明を実践する上で当業者によって理解されもたらされることができる。
【００８９】
請求項において、"有する"という語は他の要素若しくはステップを除外せず、不定冠詞"ａ"若しくは"ａｎ"は複数を除外しない。単数の要素若しくは他のユニットが請求項に列挙される複数の項目の機能を満たしてもよい。特定の手段が相互に異なる従属請求項に列挙されているという単なる事実はこれらの手段の組み合わせが有利に使用されることができないことを示すものではない。
【００９０】
コンピュータプログラムは、他のハードウェアと一緒に若しくはその一部として供給される光記憶媒体若しくは固体媒体などの適切な媒体上に保存／配布され得るが、インターネット又は他の有線若しくは無線通信システムなどを介して他の形式でも配布され得る。
【００９１】
請求項における任意の参照符号はその範囲を限定するものと解釈されてはならない。
【図１】
0005750098.tif 000004
【図２】
0005750098.tif 000005
【図３】
0005750098.tif 000006
【図４ａ】
0005750098.tif 000007
【図４ｂ】
0005750098.tif 000008
【図５】
0005750098.tif 000009
【図６】
0005750098.tif 000010
【図７】
0005750098.tif 000011
【図８】
0005750098.tif 000012
【図９】
0005750098.tif 000013
【図１０】
0005750098.tif 000014